(57)【要約】      （修正有）【課題】呼吸または発話時に口部から排出される気体が濾過を経ずに鼻部から吸入されるのを防止し、口臭や唾液によるマスクの汚染を防止した、鼻口分離マスクを提供する。【解決手段】鼻口分離マスクは鼻口隔離部３２０を備え、鼻部空間と口部空間が前記鼻口隔離部により隔離され、そのうち、マスクのマスク本体と鼻口隔離部に第１拡張部３１１と第２拡張部３２１がそれぞれ設けられ、前記第１拡張部はマスク本体に比較的大きな鼻部空間を形成し、前記第２拡張部は鼻口隔離部間に比較的大きな口部空間を形成し、これによりマスクの濾過容積と着用時の快適性を増大すると共に、前記鼻口隔離部を一層より多く設け、前記鼻口隔離部が唾液でひどく汚れた後に表層を剥がして再度使用できるようにする。【選択図】図４
0003150905.tif 000002
【実用新案登録請求の範囲】
【請求項１】
内あて式鼻口分離マスクであって、少なくともマスク本体と耳掛部を備え、前記鼻口分離マスクのマスク本体上に少なくとも鼻口隔離部を設け、鼻部空間と口部空間が前記鼻口隔離部により隔離され、鼻部で吸気するときの気体は前記鼻部空間から吸入され、口部で呼吸または発話するときの気体は前記口部空間から前記鼻口隔離部の濾過を経た後外に排出され、呼吸または発話時に口部から排出される気体が濾過を経ずに鼻部から吸入されるのを防止し、口臭や唾液による前記マスクの汚染を防止するという目的を達することができるよう構成したことを特徴とする、内あて式鼻口分離マスク。
【請求項２】
前記鼻口分離マスクのマスク本体と前記鼻口隔離部に第１拡張部と第２拡張部がそれぞれ設けられ、前記第１拡張部がマスク本体に比較的大きい鼻部空間を形成し、前記第２拡張部が前記鼻口隔離部に比較的大きい口部空間を形成し、これによりマスクの濾過容積と着用時の快適性を増大したことを特徴とする、請求項１に記載の内あて式鼻口分離マスク。
【請求項３】
前記鼻口隔離部が一層より多く設けられ、前記鼻口隔離部が唾液でひどく汚れた後、表層を剥がして使用できるようにしたことを特徴とする、請求項１に記載の内あて式鼻口分離マスク。
【請求項４】
前記マスク本体と前記鼻口隔離部がさらに活性炭等のフィルタ材を含有し、吸着効果を形成したことを特徴とする、請求項１に記載の内あて式鼻口分離マスク。
【請求項５】
前記マスクの耳掛部が弾性伸縮性を備えた布から成り、快適に人体の顔面部表面に貼付させることができることを特徴とする、請求項１に記載の内あて式鼻口分離マスク。
【請求項６】
前記第１拡張部が、前記マスク本体の鼻部空間上方に１本の横融着線が設けられ、かつ前記マスク本体下方に１本の顎部融着線が設けられ、前記マスク本体の一側に三面が封鎖されたゆとりのある空間が形成され、前記マスク本体を着用したとき、前記鼻部空間が使用者の顔面部に完全には貼付されないよう構成されたことを特徴とする、請求項２に記載の内あて式鼻口分離マスク。
【請求項７】
前記第２拡張部が、前記鼻口隔離部の口部空間上方に１本の横融着線が設けられ、前記鼻口隔離部に封鎖されたゆとりのある空間が形成され、前記マスク本体を着用したとき、前記口部空間が使用者の顔面部に完全には貼付されないよう構成されたことを特徴とする、請求項２に記載の内あて式鼻口分離マスク。
【請求項８】
前記横融着線と顎部融着線が、人体に適合するよう人体顔面部の曲線の方向に沿って傾斜して延伸されたことを特徴とする、請求項６または７に記載の内あて式鼻口分離マスク。
【請求項９】
前記鼻口隔離部の両端部にそれぞれ複数の融着線を設け、前記鼻口隔離部をしっかりと前記マスク本体内に付着させたことを特徴とする、請求項１に記載の内あて式鼻口分離マスク。
【考案の詳細な説明】
【技術分野】
【０００１】
本考案はマスクに関し、特に、鼻部の呼吸空間を高くし、鼻口間の呼吸時の気体を分離濾過できる内あて式鼻口分離マスクに関するものである。
【背景技術】
【０００２】
大気汚染が日増しに厳重になるのに伴い、オートバイに乗る人々だけでなく、多くの歩行者が歩行時にもマスクを付けて空気中の異物や埃を濾過している。人々が身体の健康を重視するようになり、上述の空気品質不良のほか、寒さや流行性感冒等の環境においても、人々は大量にマスクを使用している。
【０００３】
また、医療関係者や環境衛生関係者、職場環境で有害な気体に接触しやすい人々も、長時間マスクを着用して仕事をしている。
【０００４】
図１、図２、図３に従来のマスクの立体図、使用状態の外観図、使用時の透視図をそれぞれ示す。これらの図からはっきりと分かるように、マスク１はマスク本体１０を備え、マスク本体１０の両側に耳掛部１１が連結され、マスク本体１０の一側に内あて１２が設けられ、マスク１を装着するときは、両側の耳掛部１１を引っ張って耳部２に掛け、マスク本体１０で鼻部２０と口部２１を同時に被覆し、呼吸時の外部気体が鼻部２０に進入する前に、マスク本体１０と内あて１２により濾過を行い、気体中の埃や病原菌、浮遊粒子等を隔離する。
【０００５】
しかしながら、上述のマスク１の使用時には、次のような問題と欠点が確実に存在し、改善が待たれている。
【０００６】
マスク１は使用時に鼻部２０と口部２１を同時に被覆しなければならず、マスク１を通して呼吸を行うとき、口部２１から吐き出した気体、唾液がマスク１の内あて１２に付着する。一定期間使用すると、往々にして内あて１２が悪臭を発し、鼻部２０で呼吸をするとき、内あて１２が発する悪臭を吸入してしまうため、マスク１は長時間使用することができず、マスクの使用効果が低下する。
【考案の概要】
【考案が解決しようとする課題】
【０００７】
本考案の第１の目的は、鼻口隔離部を備え、鼻部空間と口部空間が鼻口隔離部で隔離され、これにより鼻部で吸気するときの気体は直接前記鼻部空間から吸入され、口部で呼吸または発話するときの気体は前記口部空間から前記鼻口隔離部の濾過を経た後外に排出され、呼吸または発話時に口部から排出される気体が濾過を経ずに鼻部から吸入されるのを防止し、口臭や唾液によるマスクの汚染を防止した、鼻口分離マスクを提供することにある。
【０００８】
本考案の第２の目的は、前記鼻口分離マスクのマスク本体と鼻口隔離部に第１拡張部と第２拡張部がそれぞれ設けられ、前記第１拡張部がマスク本体に比較的大きな鼻部空間を形成し、前記第２拡張部が鼻口隔離部間に比較的大きな口部空間を形成して、マスクの濾過容積と着用時の快適性を増大した、鼻口分離マスクを提供することにある。
【０００９】
本考案の第３の目的は、前記鼻口隔離部を一層より多く設け、これにより鼻口隔離部に唾液が付着してひどく汚れた後も、表層を剥がして再度使用することができ、さらに前記マスク本体と前記鼻口隔離部に活性炭等の素材を含有させ、吸着機能を形成し、除臭濾過効果を増進すると共に、前記マスクの耳掛部を弾性伸縮性を備えた布で形成し、人体の顔面部表面に快適に密着させることができる、鼻口分離マスクを提供することにある。
【課題を解決するための手段】
【００１０】
本願の第１考案は、内あて式鼻口分離マスクであって、少なくともマスク本体と耳掛部を備え、前記鼻口分離マスクのマスク本体上に少なくとも鼻口隔離部を設け、鼻部空間と口部空間が前記鼻口隔離部により隔離され、鼻部で吸気するときの気体は前記鼻部空間から吸入され、口部で呼吸または発話するときの気体は前記口部空間から前記鼻口隔離部の濾過を経た後外に排出され、呼吸または発話時に口部から排出される気体が濾過を経ずに鼻部から吸入されるのを防止し、口臭や唾液による前記マスクの汚染を防止するという目的を達することができるよう構成したことを特徴とする、内あて式鼻口分離マスクを提供する。
本願の第２考案は、前記鼻口分離マスクのマスク本体と前記鼻口隔離部に第１拡張部と第２拡張部がそれぞれ設けられ、前記第１拡張部がマスク本体に比較的大きい鼻部空間を形成し、前記第２拡張部が前記鼻口隔離部に比較的大きい口部空間を形成し、これによりマスクの濾過容積と着用時の快適性を増大したことを特徴とする、前記第１考案の内あて式鼻口分離マスクを提供する。
本願の第３考案は、前記鼻口隔離部が一層より多く設けられ、前記鼻口隔離部が唾液でひどく汚れた後、表層を剥がして使用できるようにしたことを特徴とする、前記第１考案の内あて式鼻口分離マスクを提供する。
本願の第４考案は、前記マスク本体と前記鼻口隔離部がさらに活性炭等のフィルタ材を含有し、吸着効果を形成したことを特徴とする、請求項１に記載の内あて式鼻口分離マスクを提供する。
本願の第５考案は、前記マスクの耳掛部が弾性伸縮性を備えた布から成り、快適に人体の顔面部表面に貼付させることができることを特徴とする、前記第１考案の内あて式鼻口分離マスクを提供する。
本願の第６考案は、前記第１拡張部が、前記マスク本体の鼻部空間上方に１本の横融着線が設けられ、かつ前記マスク本体下方に１本の顎部融着線が設けられ、前記マスク本体の一側に三面が封鎖されたゆとりのある空間が形成され、前記マスク本体を着用したとき、前記鼻部空間が使用者の顔面部に完全には貼付されないよう構成されたことを特徴とする、前記第２考案の内あて式鼻口分離マスクを提供する。
本願の第７考案は、前記第２拡張部が、前記鼻口隔離部の口部空間上方に１本の横融着線が設けられ、前記鼻口隔離部に封鎖されたゆとりのある空間が形成され、前記マスク本体を着用したとき、前記口部空間が使用者の顔面部に完全には貼付されないよう構成されたことを特徴とする、前記第２考案の内あて式鼻口分離マスクを提供する。
本願の第８考案は、前記横融着線と顎部融着線が、人体に適合するよう人体顔面部の曲線の方向に沿って傾斜して延伸されたことを特徴とする、前記第６考案または前記第７考案の内あて式鼻口分離マスクを提供する。
本願の第９考案は、前記鼻口隔離部の両端部にそれぞれ複数の融着線を設け、前記鼻口隔離部をしっかりと前記マスク本体内に付着させたことを特徴とする、前記第１考案の内あて式鼻口分離マスクを提供する。
【考案の効果】
【００１１】
上述のような構成により、本考案の内あて式鼻口分離マスクは、呼吸または発話時に口部から排出される気体が濾過を経ずに鼻部から吸入されるのを防止し、口臭や唾液によるマスクの汚染を防止すると共に、マスクの濾過容積と着用時の快適性を増大し、かつ前記鼻口隔離部を一層より多く設けることで、前記鼻口隔離部が唾液でひどく汚れた後に表層を剥がして再度使用することができる。
【図面の簡単な説明】
【００１２】
【図１】従来のマスクの立体図である。
【図２】従来のマスク使用状態の外観図である。
【図３】従来のマスク使用時の透視図である。
【図４】本考案の最良の実施例の立体前面図である。
【図５】本考案の最良の実施例の使用時の断面図である。
【図６】本考案の最良の実施例の立体背面図である。
【図７】本考案の使用状態の外観図である。
【考案を実施するための形態】
【００１３】
図４に本考案の最良の実施例の立体前面図を示す。図５に本考案の最良の実施例の使用時の断面図を示す。これらの図からはっきりと分かるように、前記鼻口分離マスクは鼻口隔離部３２０を備え、鼻部空間３３と口部空間３４が前記鼻口隔離部３２０で隔離される。これにより、鼻部で吸気するときの気体は直接鼻部空間３３から吸入され、口部で呼吸または発話するときの気体は前記口部空間３４から前記鼻口隔離部３２０の濾過を経た後外に排出され、呼吸または発話時に口部から排出される気体が濾過を経ずに鼻部から吸入されるのを防止し、口臭や唾液によるマスクの汚染を防止するという目的を達することができる。このほか、図４に示すように、本考案の前記鼻口分離マスクのマスク本体３１と鼻口隔離部３２０は第１拡張部３１１と第２拡張部３２１がそれぞれ設けられ、前記第１拡張部３１１がマスク本体３１間に鼻部空間３３を形成し、前記第２拡張部３２１が鼻口隔離部３２０間に口部空間３４を形成して、マスクの濾過容積と着用時の快適性を増大する。前記第１拡張部３１１の形成方式の一つは、マスク本体３１の鼻部空間３３上方に１本の横融着線４２０を設け、かつマスク本体３１下方に１本の顎部融着線４３０を設けて、マスク本体３１の一側にこの三面を封鎖したゆとりのある空間を形成し、マスク本体３１を着用したとき、鼻部空間３３が使用者の顔面部に完全に貼り付かないようにして第１拡張部３１１を確保する。第２拡張部３２１の形成方式も同じであるが、鼻口隔離部３２０上部に横融着線４２０を設けることだけが異なり、これにより口部に比較的大きな口部空間３４が形成される。
【００１４】
さらに、特に別途指定がない場合、本考案のいう融着とは、高温を使用して２つの熱溶融性の不織布を熱融着で接着することを指す。また特に別途指定がない場合、本考案で採用する材料は、熱溶融性の不織布とする。本考案で用いる『内あて』という語は、鼻口隔離部３２０をマスク本体３１の内面（すなわち、使用者の顔面に接近する面）に設置し、同時に内側に当てるという意味を持つことを指す。前記横融着線４２０と顎部融着線４３０は、上述の方式で形成するほか、縫製手段を用いて達成してもよい。
【００１５】
図６に本考案の最良の実施例の立体背面図を示す。この図に示すように、鼻口隔離部３２０は複数の融着線５００によりマスク本体３１上に付着され、このようにマスク本体３１を展開するとき、鼻口隔離部３２０が脱落しにくいだけでなく、同時に鼻口隔離部３２０が展開され、使用者の顔面部に向けて貼付させ、気密効果を達することができる。そのうち、前記鼻口隔離部３２０は一層より多く設置してもよく（図示しない）、例えば製作時に同時に複数層の鼻口隔離部３２０をマスク本体３１上に熱融着することができる。これにより、鼻口隔離部３２０が唾液でひどく汚れた後、表層を剥がして再度使用することができる。前記マスク本体３１と前記鼻口隔離部３２０を構成する材料中に、さらに活性炭等の素材を含め、吸着の機能を達し、除臭濾過効果を増進することもできる。本考案のマスクの耳掛部３１３は、弾性伸縮性を備えた布で形成し、快適に人体の顔面部表面に貼付させることができる。
【００１６】
図７に本考案の使用状態の外観図を示す。この図から分かるように、横融着線４２０と顎部融着線４３０は人体工学に基づいて構成されており、このように使用者の顔面部に貼付させ、気密性を保つことができる。
【符号の説明】
【００１７】
従来部分：
１        マスク
１０      マスク本体
１１      耳掛部
１２      内あて
２        耳部        
２０      鼻部        
２１      口部
本考案部分：
３１      マスク本体        
３１１    第１拡張部  
３１３    耳掛部      
３２０    鼻口隔離部  
３２１    第２拡張部
３３      鼻部空間
３４      口部空間
４２０    横融着線
４３０    顎部融着線
５００    融着線
【図１】
0003150905.tif 000003
【図２】
0003150905.tif 000004
【図３】
0003150905.tif 000005
【図４】
0003150905.tif 000006
【図５】
0003150905.tif 000007
【図６】
0003150905.tif 000008
【図７】
0003150905.tif 000009